【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
複数の部分からなるドキュメントの一部分へのアクセスを制御するための方法であって、
コンピューティング装置によって、前記ドキュメントの一部分にアクセスするためのリクエストを受け付けることと、
前記コンピューティング装置によって、該リクエストされたドキュメントの一部分へのユーザアクセスを提供するかどうかを、該ドキュメントの他の部分への他のユーザの過去のアクセスを記述するデータに基づき決定することと、
前記コンピューティング装置によって、前記決定に基づき前記リクエストに応答することと
からなる方法。
【請求項２】
前記他のユーザの過去のアクセスを記述するデータが該ドキュメントの１又は複数の前記他の部分へのアクセスが提供されたことを示していることに応じて、前記リクエストされたドキュメントの一部分へのアクセスが否定されることを特徴とする請求項１に記載の方法。
【請求項３】
前記他のユーザの過去のアクセスを記述するデータが該ドキュメントの前記他の部分の大部分へのアクセスが提供されたことを示していることに応じて、前記リクエストされたドキュメントの一部分へのアクセスが否定されることを特徴とする請求項１に記載の方法。
【請求項４】
前記他のユーザの過去のアクセスを記述するデータが前記リクエストされたドキュメントの一部分以外の全ての前記他の部分へのアクセスが提供されたことを示していることに応じて、前記リクエストされたドキュメントの一部分へのアクセスが否定されることを特徴とする請求項１に記載の方法。
【請求項５】
前記他のユーザの過去のアクセスを記述するデータが、前記リクエストされたドキュメントの一部分へのアクセスを提供するのよりも高い頻度で該ドキュメントの１又は複数の前記他の部分へのアクセスが提供されたことを示していることに応じて、前記リクエストされたドキュメントの一部分へのアクセスが否定されることを特徴とする請求項１に記載の方法。
【請求項６】
前記他のユーザの過去のアクセスを記述するデータが、前記リクエストされたドキュメントの一部分へのアクセスを提供するのよりも多い機会で該ドキュメントの１又は複数の前記他の部分へのアクセスが提供されたことを示していることに応じて、前記リクエストされたドキュメントの一部分へのアクセスが否定されることを特徴とする請求項１に記載の方法。
【請求項７】
前記他のユーザの過去のアクセスを記述するデータが該ドキュメントの１又は複数の前記他の部分へのアクセスが提供されていないことを示していることに応じて、前記リクエストされたドキュメントの一部分へのアクセスが許可されることを特徴とする請求項１に記載の方法。
【請求項８】
前記他のユーザの過去のアクセスを記述するデータが、前記リクエストされたドキュメントの一部分へのアクセスを提供するのよりも高い頻度で該ドキュメントの１又は複数の前記他の部分へのアクセスが提供されていないことを示していることに応じて、前記リクエストされたドキュメントの一部分へのアクセスが許可されることを特徴とする請求項１に記載の方法。
【請求項９】
前記他のユーザの過去のアクセスを記述するデータが、前記リクエストされたドキュメントの一部分へのアクセスを提供するのよりも多い機会で該ドキュメントの１又は複数の前記他の部分へのアクセスが提供されていないことを示していることに応じて、前記リクエストされたドキュメントの一部分へのアクセスが許可されることを特徴とする請求項１に記載の方法。
【請求項１０】
前記リクエストされたドキュメントの一部分への前記ユーザアクセスを提供するかどうかを、該ドキュメントの他の部分への前記他のユーザの過去のアクセスを記述するデータに基づき決定することは、該ドキュメントの他の部分への過去のアクセスを記述するデータに基づき且つ更に該ドキュメントの他の部分への過去のリクエストを記述するデータに基づき、前記リクエストされたドキュメントの一部分へのアクセスを提供するかどうかを決定することを特徴とする請求項１に記載の方法。
【請求項１１】
前記リクエストされたドキュメントの一部分への前記ユーザアクセスを提供するかどうかを、該ドキュメントの他の部分への前記他のユーザの過去のアクセスを記述するデータに基づき決定することは、該ドキュメントの他の部分への過去のアクセスを記述するデータに基づき且つ更に前記リクエストされたドキュメントの一部分への前記他のユーザの過去のアクセスを記述するデータに基づき、前記リクエストされたドキュメントの一部分へのアクセスを提供するかどうかを決定することを特徴とする請求項１に記載の方法。
【請求項１２】
前記リクエストされたドキュメントの一部分への前記ユーザアクセスを提供するかどうかを、該ドキュメントの他の部分への前記他のユーザの過去のアクセスを記述するデータに基づき決定することは、該ドキュメントの他の部分への前記他のユーザの過去のアクセスを記述するデータに基づき且つ更に前記リクエストされたドキュメントの一部分への過去のリクエストを記述するデータに基づき、前記リクエストされたドキュメントの一部分へのアクセスを提供するかどうかを決定することを特徴とする請求項１に記載の方法。
【請求項１３】
前記リクエストされたドキュメントの一部分への前記ユーザアクセスを提供するかどうかを、該ドキュメントの他の部分への前記他のユーザの過去のアクセスを記述するデータに基づき決定することは、該ドキュメントの他の部分への前記他のユーザの過去のアクセスを記述するデータに基づき且つ更に前記ドキュメントの一部分へのアクセスをリクエストしたユーザに関する情報に基づき、前記リクエストされたドキュメントの一部分へのアクセスを提供するかどうかを決定することを特徴とする請求項１に記載の方法。
【請求項１４】
前記ユーザに関する情報は、該ユーザがログインしたかどうかを示す情報と該ユーザを特定する情報とを含むことを特徴とする請求項１に記載の方法。
【請求項１５】
前記リクエストされたドキュメントの一部分への前記ユーザアクセスを提供するかどうかを、該ドキュメントの他の部分への前記他のユーザの過去のアクセスを記述するデータに基づき決定することは、該ドキュメントの他の部分への前記他のユーザの過去のアクセスを記述するデータに基づき且つ更に前記ドキュメントの一部分へのアクセスをリクエストした当該リクエストに関する情報に基づき、前記リクエストされたドキュメントの一部分へのアクセスを提供するかどうかを決定することを特徴とする請求項１に記載の方法。
【請求項１６】
前記リクエストに関する情報は、前記リクエストが受け付けられた時を示す情報とインターネットプロトコル（ＩＰ）アドレスの情報と含むグループ内の１つであることを特徴とする請求項１５に記載の方法。
【請求項１７】
前記決定に基づき前記リクエストに応答することは、前記リクエストされたドキュメントの一部分へのアクセスを提供しないとの決定に応じて、
前記コンピューティング装置によって、前記リクエストされたドキュメントの一部分を変更することと、
前記コンピューティング装置によって、該変更された部分を提供することと
を含むことを特徴とする請求項１に記載の方法。
【請求項１８】
前記リクエストされたドキュメントの一部分を変更することは、前記リクエストされたドキュメントの一部分を歪めることを含むことを特徴とする請求項１７に記載の方法。
【請求項１９】
複数の部分からなるドキュメントの一部分へのアクセスを制御するための方法であって、
コンピューティング装置によって、前記ドキュメントの一部分にアクセスするためのリクエストを受け付けることと、ここで、前記ドキュメントの一部分は、検索クエリにマッチするドキュメントの一部を含んでおり、
前記コンピューティング装置によって、該リクエストされたドキュメントの一部分へのユーザアクセスを提供するかどうかを、該ドキュメントの他の部分への他のユーザの過去のアクセスを記述するデータに基づき決定することと、
前記コンピューティング装置によって、前記決定に基づき前記リクエストに応答することと
からなる方法。
【請求項２０】
前記決定に基づき前記リクエストに応答することは、前記リクエストされたドキュメントの一部分へのアクセスを提供するとの決定に応じて、前記検索クエリにマッチするドキュメントの一部を提示することを含むことを特徴とする請求項１９に記載の方法。
【請求項２１】
前記決定に基づき前記リクエストに応答することは、前記リクエストされたドキュメントの一部分へのアクセスを提供しないとの決定に応じて、前記検索クエリにマッチするドキュメントの一部を提示しないことを含むことを特徴とする請求項１９に記載の方法。
【請求項２２】
前記決定に基づき前記リクエストに応答することは、前記リクエストされたドキュメントの一部分へのアクセスを提供しないとの決定に応じて、
前記コンピューティング装置によって、前記検索クエリにマッチするドキュメントの一部を変更することと、
前記コンピューティング装置によって、該変更された一部を提示することと
を含むことを特徴とする請求項１９に記載の方法。
【請求項２３】
前記検索クエリにマッチするドキュメントの一部を変更することは、前記ドキュメントの一部を歪めることを含むことを特徴とする請求項２２に記載の方法。
【請求項２４】
複数の部分からなるドキュメントの一部分へのアクセスを制御するために、コンピュータに、
前記ドキュメントの一部分にアクセスするためのリクエストを受け付ける手順と、
該リクエストされたドキュメントの一部分へのユーザアクセスを提供するかどうかを、該ドキュメントの他の部分への他のユーザの過去のアクセスを記述するデータに基づき決定する手順と、
前記決定に基づき前記リクエストに応答する手順と
を実行させるためのコンピュータプログラム。
【請求項２５】
前記他のユーザの過去のアクセスを記述するデータが該ドキュメントの１又は複数の前記他の部分へのアクセスが提供されたことを示していることに応じて、前記リクエストされたドキュメントの一部分へのアクセスが否定されることを特徴とする請求項２４に記載のコンピュータプログラム。
【請求項２６】
前記他のユーザの過去のアクセスを記述するデータが該ドキュメントの前記他の部分の大部分へのアクセスが提供されたことを示していることに応じて、前記リクエストされたドキュメントの一部分へのアクセスが否定されることを特徴とする請求項２４に記載のコンピュータプログラム。
【請求項２７】
前記他のユーザの過去のアクセスを記述するデータが前記リクエストされたドキュメントの一部分以外の全ての前記他の部分へのアクセスが提供されたことを示していることに応じて、前記リクエストされたドキュメントの一部分へのアクセスが否定されることを特徴とする請求項２４に記載のコンピュータプログラム。
【請求項２８】
前記他のユーザの過去のアクセスを記述するデータが、前記リクエストされたドキュメントの一部分へのアクセスを提供するのよりも高い頻度で該ドキュメントの１又は複数の前記他の部分へのアクセスが提供されたことを示していることに応じて、前記リクエストされたドキュメントの一部分へのアクセスが否定されることを特徴とする請求項２４に記載のコンピュータプログラム。
【請求項２９】
前記他のユーザの過去のアクセスを記述するデータが、前記リクエストされたドキュメントの一部分へのアクセスを提供するのよりも多い機会で該ドキュメントの１又は複数の前記他の部分へのアクセスが提供されたことを示していることに応じて、前記リクエストされたドキュメントの一部分へのアクセスが否定されることを特徴とする請求項２４に記載のコンピュータプログラム。
【請求項３０】
前記他のユーザの過去のアクセスを記述するデータが該ドキュメントの１又は複数の前記他の部分へのアクセスが提供されていないことを示していることに応じて、前記リクエストされたドキュメントの一部分へのアクセスが許可されることを特徴とする請求項２４に記載のコンピュータプログラム。
【請求項３１】
前記他のユーザの過去のアクセスを記述するデータが、前記リクエストされたドキュメントの一部分へのアクセスを提供するのよりも高い頻度で該ドキュメントの１又は複数の前記他の部分へのアクセスが提供されていないことを示していることに応じて、前記リクエストされたドキュメントの一部分へのアクセスが許可されることを特徴とする請求項２４に記載のコンピュータプログラム。
【請求項３２】
前記他のユーザの過去のアクセスを記述するデータが、前記リクエストされたドキュメントの一部分へのアクセスを提供するのよりも多い機会で該ドキュメントの１又は複数の前記他の部分へのアクセスが提供されていないことを示していることに応じて、前記リクエストされたドキュメントの一部分へのアクセスが許可されることを特徴とする請求項２４に記載のコンピュータプログラム。
【請求項３３】
前記リクエストされたドキュメントの一部分への前記ユーザアクセスを提供するかどうかを、該ドキュメントの他の部分への前記他のユーザの過去のアクセスを記述するデータに基づき決定する前記手順は、該ドキュメントの他の部分への前記他のユーザの過去のアクセスを記述するデータに基づき且つ更に該ドキュメントの他の部分への過去のリクエストを記述するデータに基づき、前記リクエストされたドキュメントの一部分へのアクセスを提供するかどうかを決定する手順であることを特徴とする請求項２４に記載のコンピュータプログラム。
【請求項３４】
前記リクエストされたドキュメントの一部分への前記ユーザアクセスを提供するかどうかを、該ドキュメントの他の部分への前記他のユーザの過去のアクセスを記述するデータに基づき決定する前記手順は、該ドキュメントの他の部分への前記他のユーザの過去のアクセスを記述するデータに基づき且つ更に前記リクエストされたドキュメントの一部分への過去のアクセスを記述するデータに基づき、前記リクエストされたドキュメントの一部分へのアクセスを提供するかどうかを決定する手順であることを特徴とする請求項２４に記載のコンピュータプログラム。
【請求項３５】
前記リクエストされたドキュメントの一部分への前記ユーザアクセスを提供するかどうかを、該ドキュメントの他の部分への前記他のユーザの過去のアクセスを記述するデータに基づき決定する前記手順は、該ドキュメントの他の部分への前記他のユーザの過去のアクセスを記述するデータに基づき且つ更に前記リクエストされたドキュメントの一部分への過去のリクエストを記述するデータに基づき、前記リクエストされたドキュメントの一部分へのアクセスを提供するかどうかを決定する手順であることを特徴とする請求項２４に記載のコンピュータプログラム。
【請求項３６】
前記リクエストされたドキュメントの一部分への前記ユーザアクセスを提供するかどうかを、該ドキュメントの他の部分への前記他のユーザの過去のアクセスを記述するデータに基づき決定する前記手順は、該ドキュメントの他の部分への前記他のユーザの過去のアクセスを記述するデータに基づき且つ更に前記ドキュメントの一部分へのアクセスをリクエストしたユーザに関する情報に基づき、前記リクエストされたドキュメントの一部分へのアクセスを提供するかどうかを決定する手順であることを特徴とする請求項２４に記載のコンピュータプログラム。
【請求項３７】
前記ユーザに関する情報は、該ユーザがログインしたかどうかを示す情報と該ユーザを特定する情報とを含むことを特徴とする請求項２４に記載のコンピュータプログラム。
【請求項３８】
前記リクエストされたドキュメントの一部分への前記ユーザアクセスを提供するかどうかを、該ドキュメントの他の部分への前記他のユーザの過去のアクセスを記述するデータに基づき決定する前記手順は、該ドキュメントの他の部分への前記他のユーザの過去のアクセスを記述するデータに基づき且つ更に前記ドキュメントの一部分へのアクセスをリクエストした当該リクエストに関する情報に基づき、前記リクエストされたドキュメントの一部分へのアクセスを提供するかどうかを決定する手順であることを特徴とする請求項２４に記載のコンピュータプログラム。
【請求項３９】
前記リクエストに関する情報は、前記リクエストが受け付けられた時を示す情報とインターネットプロトコル（ＩＰ）アドレスの情報と含むグループ内の１つであることを特徴とする請求項３８に記載のコンピュータプログラム。
【請求項４０】
前記決定に基づき前記リクエストに応答する前記手順は、前記リクエストされたドキュメントの一部分へのアクセスを提供しないとの決定に応じて、
前記リクエストされたドキュメントの一部分を変更する手順と、
該変更された部分を提供する手順と
を前記コンピュータに実行させることを含むことを特徴とする請求項２４に記載のコンピュータプログラム。
【請求項４１】
前記リクエストされたドキュメントの一部分を変更する前記手順は、前記リクエストされたドキュメントの一部分を歪める手順を前記コンピュータに実行させることを含むことを特徴とする請求項４０に記載のコンピュータプログラム。
【請求項４２】
複数の部分からなるドキュメントの一部分へのアクセスを制御するために、コンピュータに、
前記ドキュメントの一部分にアクセスするためのリクエストを受け付ける手順と、ここで、前記ドキュメントの一部分は、検索クエリにマッチするドキュメントの一部を含んでおり、
該リクエストされたドキュメントの一部分へのユーザアクセスを提供するかどうかを、該ドキュメントの他の部分への他のユーザの過去のアクセスを記述するデータに基づき決定する手順と、
前記決定に基づき前記リクエストに応答する手順と
を実行させるためのコンピュータプログラム。
【請求項４３】
前記決定に基づき前記リクエストに応答する前記手順は、前記リクエストされたドキュメントの一部分へのアクセスを提供するとの決定に応じて、前記検索クエリにマッチするドキュメントの一部を提示する手順を前記コンピュータに実行させることを含むことを特徴とする請求項４２に記載のコンピュータプログラム。
【請求項４４】
前記決定に基づき前記リクエストに応答する前記手順は、前記リクエストされたドキュメントの一部分へのアクセスを提供しないとの決定に応じて、前記検索クエリにマッチするドキュメントの一部を提示しないことを特徴とする請求項４２に記載のコンピュータプログラム。
【請求項４５】
前記決定に基づき前記リクエストに応答する前記手順は、前記リクエストされたドキュメントの一部分へのアクセスを提供しないとの決定に応じて、
前記検索クエリにマッチするドキュメントの一部を変更する手順と、
該変更された一部を提示する手順と
を前記コンピュータに実行させることを含むことを特徴とする請求項４２に記載のコンピュータプログラム。
【請求項４６】
前記検索クエリにマッチするドキュメントの一部を変更する前記手順は、前記ドキュメントの一部を歪める手順を前記コンピュータに実行させることを含むことを特徴とする請求項４５に記載のコンピュータプログラム。